(57)【要約】【課題】大量の音楽データに対し、自動的にユーザの嗜好性に合った音質設定を行うことができ、操作性を向上させることができるようにする。【解決手段】ＨＤＤ２にタグ情報を有する音楽データが記録され、イコライザ制御処理部１２により、音質設定情報やＩＤの読み出しが行われ、個々のテーブルの使用頻度に応じてカウンタ値が変更されその変更された値が音質調整設定用メモリ１１に記録され、ＣＰＵ１３により、再生終了の指示があると、イコライザ制御処理部１２に対し、再生終了直前の音質設定情報のいずれかを有するテーブルを識別するＩＤの読み出しを行わせ、その読み出されたＩＤを再生終了の音楽データのタグ情報に記録させるように制御されるようにしたので、たとえば大量の音楽データに対してそれぞれのタグ情報に使用頻度の高い音質設定情報のいずれかを有するテーブルのＩＤが自動的に記録される。【選択図】  図１
2006228341.tif 000002
【特許請求の範囲】
【請求項１】
タグ情報を有するデータが記録される大容量の記録媒体と、
前記記録媒体のデータの再生時の音質を調整する音質調整手段と、
前記音質調整手段による音質調整の設定の組み合わせを示す音質設定情報を有する複数のテーブルと、個々の前記テーブルを識別する識別情報と、前記個々のテーブルの使用頻度を示すカウンタ値とが記録されている不揮発性記録部と、
前記音質設定情報や識別情報の読み出しを行い、前記個々のテーブルの使用頻度に応じて前記カウンタ値を変更しその変更した値を前記不揮発性記録部に記録する音質情報制御手段と、
前記記録媒体のデータの再生終了の指示があると、前記音質情報制御手段に対し、前記再生終了直前の前記音質設定情報を有するテーブルを識別する識別情報の読み出しを行わせ、その読み出された識別情報を前記再生終了の指示があったデータの前記タグ情報に記録させるように制御する制御手段とを備える
ことを特徴とする情報記録再生装置。
【請求項２】
前記制御手段は、前記データが再生されるとき、前記タグ情報に前記テーブルを識別する識別情報が記録されているか否かを判断し、前記識別情報が記録されている場合には、前記音質情報制御手段に対し、前記タグ情報に記録されている識別情報のテーブルの音質設定情報の読み出しを行わせ、前記音質調整手段に対し、その読み出しが行われた音質設定情報で再生時の音質を調整するように制御することを特徴とする請求項１に記載の情報記録再生装置。
【請求項３】
前記制御手段は、前記データが再生されるとき、前記タグ情報に前記テーブルを識別する識別情報が記録されているか否かを判断し、前記識別情報が記録されていない場合には、前記音質情報制御手段に対し、前記個々のテーブルの使用頻度に応じたカウンタ値の最も大きいテーブルの音質設定情報の読み出しを行わせ、前記音質調整手段に対し、その読み出しが行われた音質設定情報で再生時の音質を調整するように制御することを特徴とする請求項１又は２に記載の情報記録再生装置。
【請求項４】
タグ情報を有するデータが記録される記録工程と、
前記データの再生時の音質を調整する音質調整工程と、
前記音質調整の設定の組み合わせを示す音質設定情報を有する複数のテーブルと、個々の前記テーブルを識別する識別情報と、前記個々のテーブルの使用頻度を示すカウンタ値とが保持される保持工程と、
前記音質設定情報や識別情報の読み出しを行い、前記個々のテーブルの使用頻度に応じて前記カウンタ値を変更しその変更した値を記録する音質情報制御工程と、
前記データの再生終了の指示があると、前記再生終了直前の前記音質設定情報を有するテーブルを識別する識別情報の読み出しを行わせ、その読み出された識別情報を前記再生終了の指示があったデータの前記タグ情報に記録させるように制御する制御工程とを有する
ことを特徴とする情報記録再生方法。
【請求項５】
前記データが再生されるとき、前記タグ情報に前記テーブルを識別する識別情報が記録されているか否かを判断し、前記識別情報が記録されている場合には、前記タグ情報に記録されている識別情報のテーブルの音質設定情報の読み出しを行わせ、その読み出しが行われた音質設定情報で再生時の音質を調整するように制御する制御工程を有することを特徴とする請求項４に記載の情報記録再生方法。
【請求項６】
前記データが再生されるとき、前記タグ情報に前記テーブルを識別する識別情報が記録されているか否かを判断し、前記識別情報が記録されていない場合には、前記個々のテーブルの使用頻度に応じたカウンタ値の最も大きいテーブルの音質設定情報の読み出しを行わせ、その読み出しが行われた音質設定情報で再生時の音質を調整するように制御する制御工程を有することを特徴とする請求項４又は５に記載の情報記録再生方法。
【発明の詳細な説明】
【技術分野】
【０００１】
本発明は、ＨＤＤ等の記録媒体に対して音楽データ等の情報の記録及び再生が可能な情報記録再生装置に係り、特に、イコライザ等による音質調整等の設定を自動的にユーザの嗜好性に合ったものとする情報記録再生装置及び情報記録再生方法に関する。
【背景技術】
【０００２】
近年、大容量のＨＤＤ（Hard Disk Drive）にＰＣ（パーソナルコンピュータ）から取り込んだ大量の音楽データを、ＭＰ３やＡＴＲＡＣ３等の音声圧縮による音楽ファイルで記録して再生できるＨＤＤ内蔵のポータブルプレーヤーが普及しつつある。
【０００３】
また、ＰＣからＨＤＤに音楽データを取り込む場合、たとえばＭＰ３ファイル専用のソフトを用いることで、曲名、アーティスト名、アルバム名といったタグ情報をそれぞれの音楽データ毎に記録することができ、音楽データの再生時にはポータブルプレーヤーの液晶表示部に、対応する曲名、アーティスト名、アルバム名等が表示されるようになっている。
【０００４】
ところで、このようなポータブルプレーヤーにあっては、ユーザの好みに応じた音質調整を行うことができるイコライザが搭載されている場合がある。イコライザは、通常、人間の可聴帯域である２０Ｈｚ〜２０ｋＨｚの間で、所定の帯域毎に音質を調整することができるものである。
【０００５】
ここで、イコライザは、大きく分けてグラフィックＥＱ（イコライザ）とパラメトリックＥＱ（イコライザ）の二つがある。前者は、いくつかの決まった周波数（たとえば低域、中域、高域）を上げ下げすることでトーンを調整することができ、後者は、ある範囲の間で、調整する周波数を設定することができる。
【０００６】
ところが、このようなイコライザによる調整は、ポータブルプレーヤーの液晶表示部にイコライザの調整画面を表示させ、その画面上で各周波数に対応するスライダーを調節することで行われるが、大量の音楽データに対してイコライザによる調整を行うことは極めて煩雑である。
【０００７】
ちなみに、特許文献１では、ＭＰ３ファイルが少なくともノーマル、クラシック、ジャズ、ロック等のジャンルを含むタグ情報を有し、再生する曲に合わせて周波数特性を変えるよう設定するための周波数特性設定手段と、ジャンル毎に周波数特性設定手段を操作して周波数特性を設定することにより、それぞれのジャンルに対応した周波数特性を記憶するジャンル別周波数特性記憶手段と、ＭＰ３ファイルの曲を再生すると、当該曲のタグ情報のジャンルを判別し、ジャンル別周波数特性記憶手段から当該ジャンルに対応した周波数特性を呼び出し、当該曲の再生がこの呼び出された周波数特性となるよう制御する制御手段とを備えることで、再生する曲のジャンルに合った最適な周波数特性に自動的に調節されるようにしたＭＰ３ポータブルプレーヤを提案している。
【特許文献１】特開２００１−０６７１００号公報
【発明の開示】
【発明が解決しようとする課題】
【０００８】
上述したように、特許文献１では、再生する曲毎のタグ情報に含まれるノーマル、クラシック、ジャズ、ロック等のジャンルを判別することで、再生する曲のジャンルに合った最適な周波数特性に自動的に調節されるため、イコライザによる調整の手間を省くことが可能となる。
【０００９】
ところが、タグ情報にジャンルを判別するための情報を含ませるためには、ユーザが音楽データ毎に、ジャンルを示す情報を入力する必要があり、特に、ＨＤＤ等のような大容量の記録媒体に、大量の音楽データが記録されている場合、音楽データ毎にジャンルを示す情報を入力する操作は極めて繁雑になってしまう。
【００１０】
しかも、ジャンルを示す情報の入力を忘れた場合には、再生する曲のジャンルに合った最適な周波数特性での調節が自動的に行われなくなってしまう。
【００１１】
解決しようとする問題点は、再生する曲毎のタグ情報にジャンルを示す情報を含ませておくことで、再生する曲のジャンルに合った最適な周波数特性に自動的に調節されるため、イコライザによる調整の手間を省くことが可能となるが、大容量の記録媒体に、大量の音楽データが記録されている場合、音楽データ毎にジャンルを示す情報を入力する操作は極めて繁雑になってしまうばかりか、ジャンルを示す情報の入力を忘れた場合には、再生する曲のジャンルに合った最適な周波数特性での調節が自動的に行われなくなってしまうという点である。
【課題を解決するための手段】
【００１２】
本発明の情報記録再生装置は、タグ情報を有するデータが記録される大容量の記録媒体と、前記記録媒体のデータの再生時の音質を調整する音質調整手段と、前記音質調整手段による音質調整の設定の組み合わせを示す音質設定情報を有する複数のテーブルと、個々の前記テーブルを識別する識別情報と、前記個々のテーブルの使用頻度を示すカウンタ値とが記録されている不揮発性記録部と、前記音質設定情報や識別情報の読み出しを行い、前記個々のテーブルの使用頻度に応じて前記カウンタ値を変更しその変更した値を前記不揮発性記録部に記録する音質情報制御手段と、前記記録媒体のデータの再生終了の指示があると、前記音質情報制御手段に対し、前記再生終了直前の前記音質設定情報を有するテーブルを識別する識別情報の読み出しを行わせ、その読み出された識別情報を前記再生終了の指示があったデータの前記タグ情報に記録させるように制御する制御手段とを備えることを特徴とする。
また、前記制御手段は、前記データが再生されるとき、前記タグ情報に前記テーブルを識別する識別情報が記録されているか否かを判断し、前記識別情報が記録されている場合には、前記音質情報制御手段に対し、前記タグ情報に記録されている識別情報のテーブルの音質設定情報の読み出しを行わせ、前記音質調整手段に対し、その読み出しが行われた音質設定情報で再生時の音質を調整するように制御するようにすることができる。
また、前記制御手段は、前記データが再生されるとき、前記タグ情報に前記テーブルを識別する識別情報が記録されているか否かを判断し、前記識別情報が記録されていない場合には、前記音質情報制御手段に対し、前記個々のテーブルの使用頻度に応じたカウンタ値の最も大きいテーブルの音質設定情報の読み出しを行わせ、前記音質調整手段に対し、その読み出しが行われた音質設定情報で再生時の音質を調整するように制御するようにすることができる。
本発明の情報記録再生方法は、タグ情報を有するデータが記録される記録工程と、前記データの再生時の音質を調整する音質調整工程と、前記音質調整の設定の組み合わせを示す音質設定情報を有する複数のテーブルと、個々の前記テーブルを識別する識別情報と、前記個々のテーブルの使用頻度を示すカウンタ値とが保持される保持工程と、前記音質設定情報や識別情報の読み出しを行い、前記個々のテーブルの使用頻度に応じて前記カウンタ値を変更しその変更した値を記録する音質情報制御工程と、前記データの再生終了の指示があると、前記再生終了直前の前記音質設定情報を有するテーブルを識別する識別情報の読み出しを行わせ、その読み出された識別情報を前記再生終了の指示があったデータの前記タグ情報に記録させるように制御する制御工程とを有することを特徴とする。
また、前記データが再生されるとき、前記タグ情報に前記テーブルを識別する識別情報が記録されているか否かを判断し、前記識別情報が記録されている場合には、前記タグ情報に記録されている識別情報のテーブルの音質設定情報の読み出しを行わせ、その読み出しが行われた音質設定情報で再生時の音質を調整するように制御する制御工程を有するようにすることができる。
また、前記データが再生されるとき、前記タグ情報に前記テーブルを識別する識別情報が記録されているか否かを判断し、前記識別情報が記録されていない場合には、前記個々のテーブルの使用頻度に応じたカウンタ値の最も大きいテーブルの音質設定情報の読み出しを行わせ、その読み出しが行われた音質設定情報で再生時の音質を調整するように制御する制御工程を有するようにすることができる。
本発明の情報記録再生装置及び情報記録再生方法では、大容量の記録媒体にタグ情報を有するデータが記録され、音質調整手段により、記録媒体のデータの再生時の音質が調整され、不揮発性記録部に、音質調整手段による音質調整の設定の組み合わせを示す音質設定情報を有する複数のテーブルと、個々のテーブルを識別する識別情報と、個々のテーブルの使用頻度を示すカウンタ値とが記録され、音質情報制御手段により、音質設定情報や識別情報の読み出しが行われ、個々のテーブルの使用頻度に応じてカウンタ値が変更されその変更された値が不揮発性記録部に記録され、制御手段により、記録媒体のデータの再生終了の指示があると、音質情報制御手段に対し、再生終了直前の音質設定情報を有するテーブルを識別する識別情報の読み出しを行わせ、その読み出された識別情報を再生終了の指示があったデータのタグ情報に記録させるように制御される。
【発明の効果】
【００１３】
本発明の情報記録再生装置及び情報記録再生方法によれば、大容量の記録媒体にタグ情報を有するデータが記録され、音質調整手段により、記録媒体のデータの再生時の音質が調整され、不揮発性記録部に、音質調整手段による音質調整の設定の組み合わせを示す音質設定情報を有する複数のテーブルと、個々のテーブルを識別する識別情報と、個々のテーブルの使用頻度を示すカウンタ値とが記録され、音質情報制御手段により、音質設定情報や識別情報の読み出しが行われ、個々のテーブルの使用頻度に応じてカウンタ値が変更されその変更された値が不揮発性記録部に記録され、制御手段により、記録媒体のデータの再生終了の指示があると、音質情報制御手段に対し、再生終了直前の音質設定情報を有するテーブルを識別する識別情報の読み出しを行わせ、その読み出された識別情報を再生終了の指示があったデータのタグ情報に記録させるように制御されるようにしたので、たとえば大量の音楽データに対してそれぞれのタグ情報に使用頻度の高い音質設定情報を有するテーブルの識別情報が自動的に記録され、再生時には自動的にユーザの嗜好性に合った音質設定を行うことができ、大量のデータの再生時の音質設定における操作性を向上させることができる。
【発明を実施するための最良の形態】
【００１４】
本実施形態では、大容量の記録媒体にタグ情報を有するデータが記録され、音質調整手段により、記録媒体のデータの再生時の音質が調整され、不揮発性記録部に、音質調整手段による音質調整の設定の組み合わせを示す音質設定情報を有する複数のテーブルと、個々のテーブルを識別する識別情報と、個々のテーブルの使用頻度を示すカウンタ値とが記録され、音質情報制御手段により、音質設定情報や識別情報の読み出しが行われ、個々のテーブルの使用頻度に応じてカウンタ値が変更されその変更された値が不揮発性記録部に記録され、制御手段により、記録媒体のデータの再生終了の指示があると、音質情報制御手段に対し、再生終了直前の音質設定情報を有するテーブルを識別する識別情報の読み出しを行わせ、その読み出された識別情報を再生終了の指示があったデータのタグ情報に記録させるように制御されるようにし、たとえば大量の音楽データに対してそれぞれのタグ情報に使用頻度の高い音質設定情報を有するテーブルの識別情報が自動的に記録され、再生時には自動的にユーザの嗜好性に合った音質設定を行うことで、大量のデータの再生時の音質設定における操作性を向上させるようにした。
【００１５】
また、本実施形態では、制御手段により、たとえば音楽データが再生されるとき、タグ情報にテーブルを識別する識別情報が記録されているか否かを判断し、識別情報が記録されている場合には、音質情報制御手段に対し、タグ情報に記録されている識別情報のテーブルの音質設定情報の読み出しを行わせ、音質調整手段に対し、その読み出しが行われた音質設定情報で再生時の音質を調整するように制御し、前回の再生時と同じ音質で音が聴けるようにした。
【００１６】
また、本実施形態では、制御手段により、たとえば音楽データが再生されるとき、タグ情報にテーブルを識別する識別情報が記録されているか否かを判断し、識別情報が記録されていない場合には、音質情報制御手段に対し、個々のテーブルの使用頻度に応じたカウンタ値の最も大きいテーブルの音質設定情報の読み出しを行わせ、音質調整手段に対し、その読み出しが行われた音質設定情報で再生時の音質を調整するように制御し、頻繁に聴いている音質での音質設定を自動的に行わせるようにした。
【実施例】
【００１７】
以下、本発明の実施の形態について説明する。
図１は、本発明の情報記録再生装置をＨＤＤ（Hard Disk Drive）内蔵のポータブルプレーヤーに適用した場合の一実施形態を示すブロック図、図２は、図１のポータブルプレーヤーにおけるＭＰ３ファイルのタグ情報の一例を示す図、図３は、図１の音質調整設定用メモリの内容を説明するための図、図４及び図５は、図１の情報記録再生装置による情報記録再生方法を説明するためのフローチャートである。
【００１８】
図１に示すＨＤＤ（Hard Disk Drive）内蔵のポータブルプレーヤー（以下、単にポータブルプレーヤーという）は、ＵＳＢ制御部１、ＨＤＤ２、ＲＡＭ３、音声処理回路４、イコライザ回路５、コンバータ６、ＲＯＭ７、表示部８、入力部９、音質自動調整部１０、ＣＰＵ１３を備えている。
【００１９】
ＵＳＢ制御部１は、ＰＣ（パーソナルコンピュータ）２０からたとえばＭＰ３の音声圧縮による音楽データを図示しないＵＳＢケーブルを介して取り込む際の制御を行う。なお、ＰＣ２０は、インターネットからの音楽データをダウンロードしたり、ＣＤ（コンパクトディスク）等の他のメディアからの音楽データを取り込んだりすることができるものとする。また、ＰＣ２０からの音楽データをポータブルプレーヤーに取り込む場合には、ＭＰ３ファイル専用のソフトを用いることで、ポータブルプレーヤーへの音楽データの転送が行われるものとする。
【００２０】
大容量の記録媒体としてのＨＤＤ２には、ＰＣ２０から転送された複数の音楽データが記録される。また、それぞれの音楽データには、たとえば図２に示すようなＭＰ３ファイルのタグ情報が付加される。ここで、図２に示すＭＰ３ファイルのタグ情報には、たとえばＭＰ３ファイル名「C:\data\mp3data\・・・」、曲名、アーティスト名、アルバム名、テーブルのＩＤ等が含まれる。
【００２１】
なお、ＭＰ３ファイル名、曲名、アーティスト名、アルバム名については、ＰＣ２０に表示されるＭＰ３ファイル専用のソフトの画面から入力してもよいし、市販のＣＤ等の他のメディアからの音楽データに含まれる曲情報がそのまま取り込まれるようにしてもよい。テーブルの識別情報としてのＩＤについては、ポータブルプレーヤー側で自動的に書き込まれるが、その詳細については後述する。
【００２２】
ＲＡＭ３は、たとえば音声処理回路４によるデジタル信号処理を行う際の作業エリアとされる。音声処理回路４は、ＨＤＤ２から読み出された音楽データに対して音声処理を施す。
【００２３】
音質調整手段としてのイコライザ回路５は、入力部９からの音質調整指示、あるいは音質自動調整部１０の後述の音質調整設定用メモリ１１の音質設定情報（１）〜（ｎ）に基づき、音声処理回路４からの音声処理されたデジタル信号の音質調整を行う。
【００２４】
コンバータ６は、イコライザ回路５によって音質調整されたデジタル信号をアナログ信号に変換する。コンバータ６によって変換されたアナログ信号は、たとえばヘッドホンＨによって再生される。
【００２５】
ＲＯＭ７には、ＣＰＵ１３による制御手順等を示すプログラム等が記録されている。表示部８は、たとえば液晶パネルからなり、ＨＤＤ２の再生状況（再生／一時停止／停止／早送り／早戻し）や再生モード、ＥＱモード、 バッテリー残量、選曲数と現在の曲順、タグ情報（曲名・アーティスト名・アルバム名）等が表示される。
【００２６】
入力部９は、ＨＤＤ２の再生等に関わる複数のボタンを有している。音質自動調整部１０は、ＨＤＤ２の音楽データの再生音の音質を自動的に調整するものであり、音質調整設定用メモリ１１とイコライザ制御処理部１２とを備えている。
【００２７】
不揮発性記録部としての音質調整設定用メモリ１１には、たとえば図３に示すように、たとえばイコライザによる複数の音質調整等の設定の組み合わせを示す音質設定情報（１）〜（ｎ）を有する複数のテーブルと、個々のテーブルを識別する識別情報としてのＩＤと、個々のテーブルの使用頻度を示すカウンタ値とが記録されている。
【００２８】
音質情報制御手段としてのイコライザ制御処理部１２は、ＣＰＵ１３からの指示に応じて、音質調整設定用メモリ１１のテーブルの設定の組み合わせを示す音質設定情報（１）〜（ｎ）やテーブルを識別するＩＤを読み出したり、個々のテーブルの使用頻度に応じてカウンタ値を変更させたりする。
【００２９】
制御手段としてのＣＰＵ１３は、入力部９からの指示に応じて、ＨＤＤ２に対する情報の読み出しや書き込みに関わる各部の動作を制御する。また、ＣＰＵ１３は、入力部９からの音楽データの再生の終了（停止や次の曲へのスキップ等を含む）の指示があると、終了直前のイコライザの設定の組み合わせを示す音質設定情報（１）〜（ｎ）を有するテーブルを識別するＩＤを上述したタグ情報に記録させ、併せて音質調整設定用メモリ１１の対応するテーブルの使用頻度を示すカウンタ値を変更させるように制御する。
【００３０】
また、ＣＰＵ１３は、入力部９からの音楽データの再生の指示があるとき、その音楽データに対応するタグ情報にテーブルを識別するＩＤが記録されているか否かを判断し、そのＩＤが記録されている場合には、イコライザ制御処理部１２に対してそのＩＤに対応するテーブルを選択するように制御する。これにより、イコライザ回路５は、そのＩＤに対応するテーブルの音質設定情報（１）〜（ｎ）のいずれかに基づいて自動的に設定される。
【００３１】
また、ＣＰＵ１３は、再生の指示があった音楽データに対応するタグ情報にテーブルを識別するＩＤが記録されていない場合、イコライザ制御処理部１２に対してカウンタ値の最も大きいテーブルを選択するように制御する。これにより、イコライザ回路５は、そのＩＤに対応するテーブルの音質設定情報（１）〜（ｎ）のいずれかに基づいて自動的に設定される。
【００３２】
次に、情報記録再生方法について説明する。なお、以下の説明においては、再生データを音楽データとし、それぞれの音楽データには上述したタグ情報が付加されているものとする。
【００３３】
まず、図４に示すように、タグ情報にテーブルを識別するＩＤが記録されていないいずれかの音楽データが再生されていて、入力部９からその音楽データの再生終了（停止や次の曲へのスキップ等を含む）の指示があると（ステップＳ１）、ＣＰＵ１３により、再生終了直前のイコライザの設定の組み合わせを示す音質設定情報（１）〜（ｎ）を有するテーブルを識別するＩＤを、再生終了の対象となる音楽データのタグ情報に記録させるように制御される。
【００３４】
この場合、ユーザによるイコライザによる音質調整が行われているか否かが判断され（ステップＳ２）、ユーザによるイコライザによる音質調整が行われていない場合には、ＣＰＵ１３からの指示により、イコライザ制御処理部１２が音質調整設定用メモリ１１からカウンタ値が最も大きいテーブルを識別するＩＤを読み出し（ステップＳ３）、ＣＰＵ１３に渡す。
【００３５】
そして、ＣＰＵ１３により、受け取ったＩＤが音楽データに付加されているタグ情報に記録されるように制御される（ステップＳ４）。
【００３６】
このとき、イコライザ制御処理部１２により、音質調整設定用メモリ１１から読み出したテーブルを識別するＩＤのカウンタ値が変更され（ステップＳ５）、その音質調整設定用メモリ１１に変更されたカウンタ値が記録される（ステップＳ６）。その後、音楽データの再生が終了（停止や次の曲へのスキップ等を含む）となる（ステップＳ７）。
【００３７】
一方、（ステップＳ２）において、ユーザによるイコライザによる音質調整が行われていると判断された場合には、ＣＰＵ１３によりイコライザ回路５の設定値が読み出されてイコライザ制御処理部１２に与えられる。
【００３８】
このとき、イコライザ制御処理部１２により、音質調整設定用メモリ１１からその設定値に該当する設定の組み合わせを示す音質設定情報（１）〜（ｎ）を有するテーブルが検索され（ステップＳ８）、該当するテーブルを識別するＩＤがＣＰＵ１３に渡される。
【００３９】
そして、上記同様に、ＣＰＵ１３により、受け取ったＩＤが音楽データに付加されているタグ情報に記録されるように制御される（ステップＳ９）。このとき、イコライザ制御処理部１２により、音質調整設定用メモリ１１の該当するテーブルを識別するＩＤのカウンタ値が変更され（ステップＳ１０）、上記同様に、その音質調整設定用メモリ１１に変更された重み係数の値が記録され（ステップＳ６）、その後、音楽データの再生が終了（停止や次の曲へのスキップ等を含む）となる（ステップＳ７）。
【００４０】
なお、（ステップＳ７）での音楽データの再生の終了（停止や次の曲へのスキップ等を含む）は、（ステップＳ４）及び（ステップＳ９）でのテーブルを識別するＩＤが音楽データに付加されているタグ情報に記録された後に実行されるようにしてもよい。
【００４１】
次に、音楽データが再生される場合について説明する。
【００４２】
まず、図５に示すように、入力部９からいずれかの音楽データの再生指示があると（ステップＳ１１）、音声処理回路４により、ＨＤＤ２から読み出された音楽データに対して音声処理が施され、イコライザ回路５により音質調整が行われる。
【００４３】
このとき、ＣＰＵ１３により、再生指示のあった音楽データに付加されているタグ情報にテーブルを識別するためのＩＤが記録されているか否かが判断される（ステップＳ１２）。
【００４４】
テーブルを識別するＩＤが記録されている場合は、ＣＰＵ１３からの指示により、イコライザ制御処理部１２により音質調整設定用メモリ１１のＩＤに該当するテーブルが選択され（ステップＳ１３）、そのテーブルの設定の組み合わせを示す音質設定情報（１）〜（ｎ）のいずれかが読み出されてＣＰＵ１３に渡される。
【００４５】
このとき、ＣＰＵ１３によってイコライザ回路５による音質調整が読み出されたテーブルの設定の組み合わせを示す音質設定情報（１）〜（ｎ）のいずれかに基づき設定されるように制御される（ステップＳ１４）。
【００４６】
そして、イコライザ回路５によって音質調整されたデジタル信号がコンバータ６によってアナログ信号に変換され、たとえばヘッドホンＨによって再生される（ステップＳ１５）。これにより、ユーザは、イコライザの調整を行うことなく、好みの音質で再生された音楽を聴くことができる。
【００４７】
一方、（ステップＳ１２）において、テーブルを識別するＩＤが記録されていないと判断された場合は、ＣＰＵ１３からの指示により、イコライザ制御処理部１２によって音質調整設定用メモリ１１からカウンタ値の最も大きいテーブルが選択され（ステップＳ１６）、そのテーブルの設定の組み合わせを示す音質設定情報（１）〜（ｎ）のいずれかがＣＰＵ１３に渡される。
【００４８】
そして、上記同様に、ＣＰＵ１３によってイコライザ回路５による音質調整が読み出されたテーブルの設定の組み合わせを示す音質設定情報（１）〜（ｎ）のいずれかに基づき設定されるように制御されるとともに（ステップＳ１４）、イコライザ回路５によって音質調整されたデジタル信号がコンバータ６によってアナログ信号に変換され、たとえばヘッドホンＨによって再生される（ステップＳ１５）。
【００４９】
このように、本実施形態では、ＨＤＤ２にタグ情報を有する音楽データが記録され、イコライザ回路５により、音楽データの再生時の音質が調整され、音質調整設定用メモリ１１に、イコライザ回路５による音質調整の設定の組み合わせを示す音質設定情報（１）〜（ｎ）を有する複数のテーブルと、個々のテーブルを識別するＩＤと、個々のテーブルの使用頻度を示すカウンタ値とが記録され、イコライザ制御処理部１２により、音質設定情報（１）〜（ｎ）やＩＤの読み出しが行われ、個々のテーブルの使用頻度に応じてカウンタ値が変更されその変更された値が音質調整設定用メモリ１１に記録され、ＣＰＵ１３により、音楽データのデータの再生終了の指示があると、イコライザ制御処理部１２に対し、再生終了直前の音質設定情報（１）〜（ｎ）のいずれかを有するテーブルを識別するＩＤの読み出しを行わせ、その読み出されたＩＤを再生終了の指示があった音楽データのタグ情報に記録させるように制御されるようにしたので、たとえば大量の音楽データに対してそれぞれのタグ情報に使用頻度の高い音質設定情報（１）〜（ｎ）のいずれかを有するテーブルのＩＤが自動的に記録され、再生時には自動的にユーザの嗜好性に合った音質設定を行うことができ、大量の音楽データの再生時の音質設定における操作性を向上させることができる。
【００５０】
また、本実施形態では、ＣＰＵ１３により、たとえば音楽データが再生されるとき、タグ情報にテーブルを識別するＩＤが記録されているか否かを判断し、ＩＤが記録されている場合には、イコライザ制御処理部１２に対し、タグ情報に記録されているＩＤのテーブルの音質設定情報（１）〜（ｎ）のいずれかの読み出しを行わせ、イコライザ回路５に対し、その読み出しが行われた音質設定情報（１）〜（ｎ）のいずれかで再生時の音質を調整するように制御しているので、前回の再生時と同じ音質で音を聴くことができる。
【００５１】
また、本実施形態では、ＣＰＵ１３により、たとえば音楽データが再生されるとき、タグ情報にテーブルを識別するＩＤが記録されているか否かを判断し、ＩＤが記録されていない場合には、イコライザ制御処理部１２に対し、個々のテーブルの使用頻度に応じたカウンタ値の最も大きいテーブルの音質設定情報（１）〜（ｎ）のいずれかの読み出しを行わせ、イコライザ回路５に対し、その読み出しが行われた音質設定情報（１）〜（ｎ）のいずれかで再生時の音質を調整するように制御しているので、頻繁に聴いている音質での音質設定を自動的に行わせることができる。
【００５２】
なお、本実施形態では、イコライザによる音質調整について説明したが、ボリュームによる音量調整等を含むようにすることもできる。
【００５３】
また、本実施形態では、音質調整設定用メモリ１１に、イコライザ回路５による音質調整の設定の組み合わせを示す音質設定情報（１）〜（ｎ）を有する複数のテーブルを記録しているため、音楽データの再生時に、そのいずれかのテーブルをＨＤＤ内蔵のポータブルプレーヤーのいずれかのボタンを操作してダイレクトに選択できるようにしてもよい。
【００５４】
この場合には、ＨＤＤ内蔵のポータブルプレーヤーの液晶表示部にイコライザの調整画面を表示させ、その画面上で各周波数に対応するスライダーを調節することで行うイコライザによる調整の操作を省くことができる。
【００５５】
また、各テーブルの音質設定情報（１）〜（ｎ）をロック、ポップス、ラップ等のようなジャンル毎に整理できるようにしてもよく、この場合には、テーブルのダイレクト選択をさらに容易に行うことができる。
【００５６】
また、各テーブルの音質設定情報（１）〜（ｎ）をＨＤＤ内蔵のポータブルプレーヤーを共用するユーザ毎に専用で使用できるように、フォルダ分けし、それぞれのフォルダにユーザ毎の識別番号等を付けて音質調整設定用メモリ１１に記録しておくようにしてもよい。
【００５７】
この場合には、１台のＨＤＤ内蔵のポータブルプレーヤーをたとえば家族で共用するとき、各々のユーザがフォルダを指定することで、好みの音質での再生を自動的に行わせることができる。
【産業上の利用可能性】
【００５８】
ＨＤＤ内蔵のポータブルプレーヤーに限らず、大容量の記録媒体を内蔵したＤＶＤプレーヤー等の他の情報記録再生装置にも適用できる。
【図面の簡単な説明】
【００５９】
【図１】本発明の情報記録再生装置をＨＤＤ（Hard Disk Drive）内蔵のポータブルプレーヤーに適用した場合の一実施形態を示すブロック図である。
【図２】図１のポータブルプレーヤーにおけるＭＰ３ファイルのタグ情報の一例を示す図である。
【図３】図１の音質調整設定用メモリの内容を説明するための図である。
【図４】図１の情報記録再生装置による情報記録再生方法における音楽データの再生終了時を説明するためのフローチャートである。
【図５】図１の情報記録再生装置による情報記録再生方法における音楽データの再生時を説明するためのフローチャートである。
【符号の説明】
【００６０】
１  制御部
２  ＨＤＤ
４  音声処理回路
５  イコライザ回路
６  コンバータ
８  表示部
９  入力部
１０  音質自動調整部
１１  音質調整設定用メモリ
１２  イコライザ制御処理部
【図１】
2006228341.tif 000003
【図２】
2006228341.tif 000004
【図３】
2006228341.tif 000005
【図４】
2006228341.tif 000006
【図５】
2006228341.tif 000007